(57)【要約】【課題】耐圧縮性を向上させ、輸送・集積時における損傷・変形を防止する物品収納可能な周壁補強コンテナを提供する。【解決手段】折目線を折り曲げて、底面部１０１上に段部を形成する。各切り込み間部分を底面部１０１側に押入することにより、段部には、支持壁が形成される。また、閉鎖片１７１、１８１、１９１、２０１を底面部１０１上に起立させる。折目線を折り曲げて、差し込み片１２０、１２２、１４０、１４２を差し込み溝１５９、１６９に差し込んで、中央部に凹部が形成されたコンテナを組み立てる。【選択図】　　　　図２
2004099048.tif 000002
【特許請求の範囲】
【請求項１】
底面部の４辺にそれぞれ折目線を介して側面部が連設され、前記側面部にはそれぞれ折目線を介して上面部が連設され、前記上面部にはそれぞれ折目線を介して支持部が連設され、１対の前記側面部、前記上面部、および前記支持部の折目線を折曲して前記底面部上に２つの段部を形成し、他の１対の前記側面部、前記上面部、および前記支持部の折目線を折曲し、前記他の１対の上面部先端の差し込み片を前記段部の差し込み溝に嵌入して中央部に物品を収納するための凹部を形成してなり、
前記段部の前記上面部上には、前記側面部から所定間隔置いた位置から前記支持部にかけてそれぞれ２条の切り込みが設けられ、前記２条の切り込み間の部分を前記底面部側に押入して前記底面部上に前記上面部を支持するための支持壁が形成されることを特徴とする周壁補強コンテナ。
【請求項２】
底面部の４辺にそれぞれ第１の折目線を介してコンテナの高さに相当する幅の側面部が連設され、
前記側面部にはそれぞれ前記第１の折目線と平行な第２の折目線を介して上面部が連設され、
前記上面部にはそれぞれ前記第１の折目線と平行な第３の折目線を介して支持部が連設され、
前記１対の上面部中央には前記第３の折目線と垂直方向に差し込み溝が設けられ、
前記１対の上面部上の前記第２の折目線から所定間隔置いた位置から前記支持部にかけて２条の切り込みが前記差し込み溝を対称にして２組設けられ、
前記第１乃至第３の折目線を折曲して、前記１対の上面部を上面、前記１対の上面部に連設されている前記側面部および前記支持部を側面とした２つの段部を前記底面部上に形成し、
前記段部上の前記切り込み間の部分を前記底面部側に押入し、前記１対の上面部を前記底面部上に支持するための２つの支持壁を前記側面部側に前記段部ごとに形成し、
他の１対の前記上面部先端辺の両端部には折目線を介して差し込み片がそれぞれ設けられ、
前記他の１対の上面部側の折目線を折曲し、前記差し込み片を前記差し込み溝に挿嵌して、前記他の１対の上面部を前記段部上に固定し、中央に物品を収納するための凹部を形成してなることを特徴とする周壁補強コンテナ。
【請求項３】
前記１対の上面部における前記底面部および前記支持部が連設されていない２辺にはそれぞれ前記第２の折目線と垂直方向の折目線を介して閉鎖片が連設され、前記段部形成時に前記閉鎖片を前記底面部に対して垂直に起立させることを特徴とする請求項２記載の周壁補強コンテナ。
【請求項４】
前記底面部中央がくり抜かれ、前記物品を視認するための窓部が設けられていることを特徴とする請求項１から３のいずれか１項に記載の周壁補強コンテナ。
【請求項５】
前記物品を嵌合および係止する部位を備え、前記凹部と略等しい形状および大きさの物品取付部材を前記凹部に嵌合することを特徴とする請求項１から４のいずれか１項に記載の周壁補強コンテナ。
【請求項６】
前記物品取付部材には、該物品取付部材を前記コンテナ本体から脱離させる際に前記物品取付部材を保持するための穴部が設けられていることを特徴とする請求項５記載の周壁補強コンテナ。
【請求項７】
前記上面部上には所定のデザインが施された化粧紙が貼付され、
前記化粧紙には、前記凹部に対応する位置の周囲に開封のためのミシン目が設けられていることを特徴とする請求項１から６のいずれか１項に記載の周壁補強コンテナ。
【発明の詳細な説明】
【０００１】
【発明の属する技術分野】
本発明は、周壁補強コンテナに関し、特にダンボール紙を折り曲げて形成される物品収納可能な周壁補強コンテナに関する。
【０００２】
【従来の技術】
様々な大きさおよび形状の物品を輸送および集積する際に、その物品を収納して保護するものとして、実公昭６３−３５９６１号公報が開示するところの包装用組立箱（以下、特許文献１）があった。特許文献１の包装用組立箱は、１枚のダンボール紙を折り曲げて箱体を形成するものであって、２枚重合した挿入片を２箇所で起立させるとともに、突出した舌片を挿入し、包装用組立箱の周壁を補強していた。
【０００３】
また、１枚のダンボール紙を折り曲げて箱形状の緩衝固定体を形成するものとして、実公平１−４２４８８号公報が開示するところの緩衝固定体（以下、特許文献２）があった。特許文献２では、基板シート上に三角筒形状の立ち上がり部を形成して、緩衝固定体の周壁を補強していた。
【０００４】
図１１は、一般に用いられるダンボール紙を示す図である。図１１に示されているように、ダンボール紙は、ダンボール紙の裏表面に使用する原紙である２枚のライナ６０１、６０２と、ライナ６０１、６０２間を一定の間隔で支持するための原紙である中芯６０３と、により形成される。ライナ６０１、６０２と中芯６０３との接触面は、接着剤により接着される。
【０００５】
【特許文献１】
実公昭６３−３５９６１号公報（第２−３頁）
【特許文献２】
実公平１−４２４８８号公報（第２頁）
【０００６】
【発明が解決しようとする課題】
図１１に示されるように、中芯６０３は波型に成形されている。中芯６０３は、上記のような形状を成すために、シート状では自身の並びに直角な方向の圧力に対する曲強さに富む一方、自身の並びに平行な方向の圧力に対する曲強さに乏しい。従って、図１１に示されるようなダンボール紙を用いて箱を形成する場合、中芯６０３の並びに直角に折り込まれた壁または折曲部は、高さ方向に加えられた力に対して耐圧縮性に富む反面、中芯６０３の並びに平行に折り込まれた壁または折曲部は、高さ方向の耐圧縮性に乏しく、輸送・集積時に、ダンボール紙製の箱が損傷・変形してしまうことがあった。
【０００７】
本発明は、上記問題点に鑑みてなされたものであり、耐圧縮性を向上させ、輸送・集積時における損傷・変形を防止する物品収納可能な周壁補強コンテナを提供することを目的とする。
【０００８】
【課題を解決するための手段】
かかる目的を達成するため、請求項１記載の発明は、底面部の４辺にそれぞれ折目線を介して側面部が連設され、側面部にはそれぞれ折目線を介して上面部が連設され、上面部にはそれぞれ折目線を介して支持部が連設され、１対の側面部、上面部、および支持部の折目線を折曲して底面部上に２つの段部を形成し、他の１対の側面部、上面部、および支持部の折目線を折曲し、他の１対の上面部先端の差し込み片を段部の差し込み溝に嵌入して中央部に物品を収納するための凹部を形成してなり、段部の上面部上には、側面部から所定間隔置いた位置から支持部にかけてそれぞれ２条の切り込みが設けられ、２条の切り込み間の部分を底面部側に押入して底面部上に上面部を支持するための支持壁が形成されることを特徴とする。
【０００９】
また、請求項２記載の発明は、底面部の４辺にそれぞれ第１の折目線を介してコンテナの高さに相当する幅の側面部が連設され、側面部にはそれぞれ第１の折目線と平行な第２の折目線を介して上面部が連設され、上面部にはそれぞれ第１の折目線と平行な第３の折目線を介して支持部が連設され、１対の上面部中央には第３の折目線と垂直方向に差し込み溝が設けられ、１対の上面部上の第２の折目線から所定間隔置いた位置から支持部にかけて２条の切り込みが差し込み溝を対称にして２組設けられ、第１乃至第３の折目線を折曲して、１対の上面部を上面、１対の上面部に連設されている側面部および支持部を側面とした２つの段部を底面部上に形成し、段部上の切り込み間の部分を底面部側に押入し、１対の上面部を底面部上に支持するための２つの支持壁を側面部側に段部ごとに形成し、他の１対の上面部先端辺の両端部には折目線を介して差し込み片がそれぞれ設けられ、他の１対の上面部側の折目線を折曲し、差し込み片を差し込み溝に挿嵌して、他の１対の上面部を段部上に固定し、中央に物品を収納するための凹部を形成してなることを特徴とする。
【００１０】
また、請求項３記載の発明によれば、請求項２記載の周壁補強コンテナにおいて、１対の上面部における底面部および支持部が連設されていない２辺にはそれぞれ第２の折目線と垂直方向の折目線を介して閉鎖片が連設され、段部形成時に閉鎖片を底面部に対して垂直に起立させることを特徴とする。
【００１１】
また、請求項４記載の発明によれば、請求項１から３のいずれか１項に記載の周壁補強コンテナにおいて、底面部中央がくり抜かれ、物品を視認するための窓部が設けられていることを特徴とする。
【００１２】
また、請求項５記載の発明によれば、請求項１から４のいずれか１項に記載の周壁補強コンテナにおいて、物品を嵌合および係止する部位を備え、凹部と略等しい形状および大きさの物品取付部材を凹部に嵌合することを特徴とする。
【００１３】
また、請求項６記載の発明によれば、請求項５記載の周壁補強コンテナにおいて、物品取付部材には、物品取付部材をコンテナ本体から脱離させる際に物品取付部材を保持するための穴部が設けられていることを特徴とする。
【００１４】
また、請求項７記載の発明によれば、請求項１から６のいずれか１項に記載の周壁補強コンテナにおいて、上面部上には所定のデザインが施された化粧紙が貼付され、化粧紙には、凹部に対応する位置の周囲に開封のためのミシン目が設けられていることを特徴とする。
【００１５】
【発明の実施の形態】
本実施形態における周壁補強コンテナは、コンテナ１００と、物品取付部材２００と、化粧紙３００と、から形成され、物品４００を収納可能としたものである。周壁補強コンテナは、物品取付部材２００を嵌合した箱形状のコンテナ１００に化粧紙３００を貼付することにより形成される。コンテナ１００および物品取付部材２００は、ダンボール紙などの所定の耐圧縮性を備えたシート状の素材により形成される。
【００１６】
図１は、本発明の一実施形態におけるコンテナ１００の組み立て完成図である。コンテナ１００の上面部中央には、物品を収納するための凹部５０１が設けられている。また、コンテナ１００の下面部中央には、コンテナ１００に収納された物品を視認可能なように窓部１７０が設けられている。
【００１７】
図２は、本発明の一実施形態におけるコンテナ１００の平面展開図である。以下、図２を用いて、本実施形態におけるコンテナ１００について説明する。
【００１８】
方形状の底面部１０１の中央はくり抜かれ、窓部１７０が形成されている。
【００１９】
底面部１０１の１辺には折目線１１１を介して側面部１１２が連設され、側面部１１２には折目線１１３を介して上面部１１４が連設され、上面部１１４の中央には折目線１１５を介して垂直支持片１１６が連設され、垂直支持片１１６には折目線１１７を介して水平折込支持片１１８が連設されている。上面部１１４の両端には折目線１１９を介して差し込み片１２０が、折目線１２１を介して差し込み片１２２が、それぞれ連設されている。
【００２０】
同様に、底面部１０１の側面部１１２が連設されている辺の対辺には折目線１３１を介して側面部１３２が連設され、側面部１３２には折目線１３３を介して上面部１３４が連設され、上面部１３４の中央には折目線１３５を介して垂直支持片１３６が連設され、垂直支持片１３６には折目線１３７を介して水平折込支持片１３８が連設されている。上面部１３４の両端には折目線１３９を介して差し込み片１４０が、折目線１４１を介して差し込み片１４２が、それぞれ連設されている。
【００２１】
さらに、底面部１０１の側面部１１２、１３２が連設されていない辺には折目線１５１を介して側面部１５２が連設され、側面部１５２には折目線１５３を介して上面部１５４が連設されている。上面部１５４上には、折目線１２３、１２４、１２５、１２６、１５５、１５７に交差するように切り込み１７３、１７４、１８３、１８４が設けられている。また、上面部１５４中央には差し込み溝１５９が設けられている。上面部１５４の左右両側には、折目線１７２、１８２を介して閉鎖片１７１、１８１がそれぞれ連設されている。上面部１５４には、折目線１２３、１２４、１５５、１７６、１８６を介して垂直支持部１２７、１２８、１５６、１０２、１０３がそれぞれ連設されている。垂直支持部１０２、１０３には、折目線１７５、１８５を介して水平支持部１５８が連設され、垂直支持部１２７、１２８、１５６には、折目線１２５、１２６、１５７を介して水平支持部１５８が連設されている。
【００２２】
同様に、底面部１０１の側面部１５２が連設されている辺の対辺には折目線１６１を介して側面部１６２が連設され、側面部１６２には折目線１６３を介して上面部１６４が連設されている。上面部１６４上には、折目線１４３、１４４、１４５、１４６、１６５、１６７に交差するように切り込み１９３、１９４、２０３、２０４が設けられている。また、上面部１６４中央には差し込み溝１６９が設けられている。上面部１６４の左右両側には、折目線１９２、２０２を介して閉鎖片１９１、２０１がそれぞれ連設されている。上面部１６４には、折目線１４３、１４４、１６５、１９６、２０６を介して垂直支持部１４７、１４８、１６６、１０４、１０５がそれぞれ連設されている。垂直支持部１０４、１０５には、折目線１９５、２０５を介して水平支持部１６８が連設され、垂直支持部１４７、１４８、１６６には、折目線１４５、１４６、１６７を介して水平支持部１６８が連設されている。
【００２３】
なお、折目線１１１、１１３、１１５、１１７、１１９、１２１、１３１、１３３、１３５、１３７、１３９、１４１、１７２、１８２、１９２、２０２は互いに平行であるとする。また、折目線１２３、１２４、１２５、１２６、１４３、１４４、１４５、１４６、１５１、１５３、１５５、１５７、１６１、１６３、１６５、１６７、１７５、１７６、１８５、１８６、１９５、１９６、２０５、２０６は互いに平行であるとする。
【００２４】
また、図２における半円で囲まれた領域内の並行した線６０４は、コンテナ１００を形成するダンボール紙の中芯を示す。すなわち、コンテナ１００の中芯の並び方向は、折目線１５１に平行な方向である。従って、コンテナ１００は、折目線１５１に垂直方向に加えられた力よりも、折目線１５１に平行方向に加えられた力に対する耐圧縮性に富んでいる。
【００２５】
次にコンテナ１００の組み立てについて説明する。まず、折目線１２３、１２４、１５１、１５３、１５５、１７６、１８６を内側に直角に折り曲げるとともに、折目線１２５、１２６、１５７、１７５、１８５を外側に直角に折り曲げ、水平支持部１５８を底面部１０１に糊などの接着剤で貼着する。これにより上面部１５４が底面部１０１から所定の高さに固定され、段部５０２が形成される。また、閉鎖片１７１、１８１を内側に直角に折り曲げて起立させ、段部５０２の側面とする。
【００２６】
同様に、折目線１４３、１４４、１６１、１６３、１６５、１９６、２０６を内側に折り曲げるとともに、折目線１４５、１４６、１６７、１９５、２０５を外側に折り曲げ、水平支持部１６８を底面部１０１に糊などの接着剤で貼着する。これにより上面部１６４が底面部１０１から所定の高さに固定され、段部５０３が形成される。また、閉鎖片１９１、２０１を内側に直角に折り曲げて起立させ、段部５０３の側面とする。
【００２７】
上記のように段部５０２、５０３が形成されることにより、コンテナ１００完成時における高さ方向の耐圧縮性を向上させ、所定の強度を保証することが可能となる。
【００２８】
図３は、段部５０２、５０３が形成されたコンテナ１００を示す斜視図である。
【００２９】
垂直支持部１０２、１０３、これらに連設する水平支持部１５８が段部５０２の内側に押し込まれることにより、段部５０２には、水平支持部１５８を底面、垂直支持部１０２、１０３を側壁とした凹部５０４、５０５が形成される。
【００３０】
また、段部５０２には、垂直支持部１０２、側面部１５２を側面とするコンテナ１００の強度を補強する壁状の部位である垂直支持壁５０８、および垂直支持部１０３、側面部１５２を側面とする垂直支持壁５０９が形成される。また、閉鎖片１７１、１８１を起立させ、段部５０２の側壁とする。従って、形成された垂直支持壁５０８、５０９および段部５０２の側壁により、コンテナ１００完成時に耐圧縮性を向上させることが可能となる。
【００３１】
同様に、垂直支持部１０４、１０５、これらに連設する水平支持部１６８が段部５０３の内側に押し込まれることにより、段部５０３には、水平支持部１６８を底面、垂直支持部１０４、１０５を側壁とした凹部５０６、５０７が形成される。
【００３２】
また、段部５０３には、垂直支持部１０４、側面部１６２を側面とするコンテナ１００の強度を補強する壁状の部位である垂直支持壁５１０、および垂直支持部１０５、側面部１６２を側面とする垂直支持壁５１１が形成される。また、閉鎖片１９１、２０１を起立させ、段部５０３の側面とする。従って、形成された垂直支持壁５１０、５１１および閉鎖片１９１、２０１により、コンテナ１００完成時の耐圧縮性を向上させることが可能となる。
【００３３】
図４は、本発明の一実施形態におけるコンテナ１００の段部５０２の部分を示す図である。本実施形態では、図４に示される段部の幅（折目線１５１、１５３１６１、１６３の長さに相当）を６等分するように、切り込み１７３、１７４、１８３、１８４、および差し込み溝１５９をコンテナ１００の上面部１５４上に設けている。また、支持壁の長さ（折目線１５３と折目線１７６、１８６との間隔に相当）は、段部の長さ（折目線１５３と折目線１２３、１２４、１５５との間隔に相当）の２分の１の長さよりも短く、かつ所定の長さ（数ｍｍ、例えば５ｍｍ程度）以上であることとする。上記のように段部５０２を形成することにより、コンテナ１００の耐圧縮性が保証される。なお、段部５０３においても以上説明した段部５０２と同様であるとする。
【００３４】
次に、折目線１１１、１１３、１１５、１１７、１１９、１２１を内側に直角に折り曲げて水平折込支持片１１８を折り込んで底面部１０１上に接触させ、差し込み片１２０を先端が底面部１０１に接するまで差し込み溝１５９に挿入し、差し込み片１２２を先端が底面部１０１に接するまで差し込み溝１６９に挿入する。
【００３５】
図５は、差し込み片１２０、１２２をそれぞれ差し込み溝１５９、１６９に差し込んだコンテナ１００を示す斜視図である。
【００３６】
図５のように、差し込み片１２０、１２２をそれぞれ差し込み溝１５９、１６９に差し込むことにより、側面部１１２、垂直支持片１１６、差し込み片１２０、１２２が底面部１０１上に垂直に起立し、コンテナ１００完成時における高さ方向の耐圧縮性を向上させ、所定の強度を保証することが可能となる。また、上面部１１４の位置を固定することが可能となる。
【００３７】
同様に、折目線１３１、１３３、１３５、１３７、１３９、１４１を内側に直角に折り曲げて水平折込支持片１３８を折り込んで底面部１０１上に接触させ、差し込み片１４０を先端が底面部１０１に接するまで差し込み溝１５９に挿入し、差し込み片１４２を先端が底面部１０１に接するまで差し込み溝１６９に挿入する。
【００３８】
差し込み片１４０、１４２をそれぞれ差し込み溝１５９、１６９に差し込むことにより、側面部１３２、垂直支持片１３６、差し込み片１４０、１４２が底面部１０１上に垂直に起立し、コンテナ１００完成時における耐圧縮性を向上させ、所定の強度を保証することが可能となる。また、上面部１３４の位置を固定することが可能となる。
【００３９】
上記のように組み立てることにより、図１に示すようなコンテナ１００が出来上がる。コンテナ組立完成時には、段部５０２、５０３、支持壁５０４、５０５、５０６、５０７、閉鎖片１７１、１８１、１９１、２０１などにより、中芯の並び方向に平行方向に加えられた力に対してだけではなく、垂直方向に加えられた力に対して加えられた力に対するコンテナ１００の耐圧縮性を向上させることが可能となる。
【００４０】
また、コンテナ１００が組み立てられると、コンテナ１００の上面には物品を収納するための凹部５０１が形成される。コンテナ１００が組み立てられた後、凹部５０１に物品または物品取付部材２００が挿入される。
【００４１】
図６は、本発明の一実施形態における物品取付部材２００の平面展開図である。
【００４２】
一部円弧状の切り欠けが設けられた長方形の底面部２５０の短辺側の一端には、折目線２２４を介して側面部２１３が連設され、側面部２１３には折目線２２３を介して上面部２１２が連設されている。上面部２１２には、折目線２２１、２２２を介して垂直支持部２１１が連設され、垂直支持部２１１には折目線２２０を介して水平支持部２１０が連設されている。上面部２１２には折目線２２５を介して係止片２１４が連設されている。係止片２１４の延長線上の上面部２１２には、切り込み２５２、２５３が設けられている。また、垂直支持部２１１、上面部２１２には、コの字状にくり抜かれて開口部２１５が設けられている。
【００４３】
底面部２５０の短辺側の他端には、折目線２４４を介して側面部２３３が連設され、側面部２３３には折目線２４３を介して上面部２３２が連設されている。上面部２３２には、折目線２４１、２４２を介して垂直支持部２３１が連設され、垂直支持部２３１には折目線２４０を介して水平支持部２３０が連設されている。上面部２３２には折目線２４５、２４６を介してそれぞれ係止片２３４、２３５が連設されている。係止片２３４の延長線上の上面部２３２には、切り込み２５４、２５５が設けられている。また、係止片２３５の延長線上の上面部２３２には、切り込み２５６、２５７が設けられている。垂直支持部２３１、上面部２３２には、くり抜かれて開口部２３６が設けられている。
【００４４】
以下、物品取付部材２００の組み立てについて説明する。まず、折目線２２１、２２２、２２３、２２４を内側に直角に折り曲げるとともに、折目線２２０を外側に直角に折り曲げ、水平支持部２１０を底面部２５０に糊などの接着剤で貼着する。
【００４５】
次に、折目線２４１、２４２、２４３、２４４を内側に直角に折り曲げるとともに、折目線２４０を外側に直角に折り曲げ、水平支持部２３０を底面部２５０に糊などの接着剤で貼着する。
【００４６】
図７は、本発明の一実施形態における組み立てが完成した物品取付部材２００の斜視図である。また、図８は、本発明の一実施形態における組み立てが完成した物品取付部材２００の断面図である。なお、図８に示される断面図は、物品取付部材２００の図７の一点鎖線２６０部分の断面を示すものである。以下、図７および図８を用いて、本実施形態における物品取付部材２００について説明する。
【００４７】
物品取付部材２００は、コンテナ１００の凹部５０１に着脱可能であり、物品取付部材２００の底面部２５０の大きさおよび形状は、凹部５０１の開口面の大きさおよび形状にほぼ等しい。また、物品取付部材２００の高さは、凹部５０１の深さにほぼ等しい。
【００４８】
図７および図８に示されているように、コンテナ１００に収納する物品４００を物品取付部材２００の開口部２１５、２３６に嵌合し、係止片２１４、２３４、２３５により係止する。図７に示されているように、物品４００の幅は、係止片先端の間隔よりも広いものとする。なお、物品４００は、開口部２１５、２３６に嵌合可能な大きさおよび形状であるとする。
【００４９】
なお、物品取付部材２００の形状は、本実施形態において示したものに限らない。取り付ける物品４００の形状および大きさに応じて、物品取付部材２００の各部位の大きさおよび形状は調整される。例えば、開口部および係止片などの形状、大きさ、数などを調整して、物品取付部材２００を物品４００の嵌合係止を可能となるようにする。
【００５０】
以上説明したように、本実施形態では、耐圧縮性に富むコンテナ１００の凹部５０１に着脱可能な物品取付部材２００に物品を嵌合係止する。従って、物品４００の保護を実現することが可能となる。また、物品４００とコンテナ１００の凹部５０１との大きさおよび形状が適合しない場合であっても、コンテナ１００の凹部５０１の形状および大きさを変更することなく、物品４００をコンテナ１００に固定・収納することが可能となる。さらに、窓部１７０から物品４００が視認できるように容易に位置合わせを行うことが可能となる。
【００５１】
化粧紙３００は、シート状の素材によりなり、コンテナ１００をくるみ、貼付することにより、コンテナ１００の凹部５０１の開口面を閉鎖する。化粧紙３００の表面には所定のデザインが印刷されているとしてもよい。以下、化粧紙３００について説明する。
【００５２】
図９は、本発明の一実施形態における化粧紙３００の平面展開図である。図９に示されているように、表紙部３０１には折目線３０４を介して背表紙部３０２が連設され、背表紙部３０２には折目線３０５を介して裏表紙部３０３が連設されている。また、表紙部３０１中央がくり抜かれ、表紙部３０１に窓部３０８が設けられている。裏表紙部３０３中央には、図９に示すように、指掛け用の切欠部３０６、ミシン目３０７が設けられている。
【００５３】
また、表紙部３０１、背表紙部３０２、裏表紙部３０３には、文字および図柄などが印刷されている。
【００５４】
なお、図９に示される化粧紙３００は、コンテナ１００の底面、側面、および上面をくるむものであるが、凹部５０１を覆うものであれば、他の形状であってもよい。例えば、化粧紙３００は、コンテナ１００の凹部５０１の開口面が設けられている面だけに貼付されるものでもよいし、全面をくるんでもよい。
【００５５】
図１０は、本発明の一実施形態における周壁補強コンテナの組み立てを示す図である。以下、図１０に沿って、周壁補強コンテナを組み立てる工程を説明する。
【００５６】
まず、物品４００を物品取付部材２００に嵌合係止する。次に、物品４００が嵌合係止された物品取付部材２００を、組み立て後のコンテナ１００の凹部５０１に嵌合する。なお、物品４００を物品取付部材２００に取り付けずに直接凹部５０１に入れてもよい。
【００５７】
また、コンテナ１００の凹部５０１の開口面と向かい合う面には、凹部５０１に入れられた物品４００の外見が確認できるように、窓部１７０が設けられている。窓部１７０は、透明性を有するシート状のものであってもよい。また、物品４００が物品取付部材２００に嵌合係止されている場合には、コンテナ１００をくり抜いて形成するとしてもよい。なお、物品４００または物品取付部材２００が窓部１７０から取り出すことができないように、窓部１７０の面積は、凹部５０１の面積よりも小さいこととする。
【００５８】
次に、化粧紙３００の折目線３０４、３０５を外側に折り曲げる。化粧紙３００の表紙部３０１がコンテナ１００の底面部１０１と接し、背表紙部３０２が側面部１１２と接し、裏表紙部３０３が上面部１１４、１３４と接するように、印刷面を表として、化粧紙３００で物品４００を格納したコンテナ１００をくるむ。
【００５９】
化粧紙３００におけるコンテナ１００との接触面（印刷されていない面）には、接着剤が塗布されており、化粧紙３００とコンテナ１００とを接着する。ただし、裏表紙部３０３における切欠部３０６、およびミシン目３０７で囲まれる部分には接着剤が塗布されないものとする。
【００６０】
このように、コンテナ１００を化粧紙３００でくるむことにより、凹部５０１に収納した物品４００または物品４００を嵌合係止した物品取付部材２００がコンテナ１００から飛び出すことを防止することが可能となる。また、周壁補強コンテナ流通時における不正開封を防止するとともに、開封跡を証明することができる。
【００６１】
ミシン目３０７切断時に凹部５０１に格納された物品４００または物品取付部材２００が取り出し可能となるように、裏表紙部３０３上における凹部５０１に対応する部分の周囲にミシン目３０７が設けられている。また、方形状のミシン目３０７の角の１つには、切り欠け（切欠部３０６）が設けられている。
【００６２】
また、化粧紙３００の表紙部３０１には、凹部５０１に格納された物品４００が確認できるように窓部３１０が設けられている。窓部３１０の面積は、窓部１７０と同様に、凹部５０１よりも小さいものとする。コンテナ１００と化粧紙３００との接着時には、窓部１７０と窓部３１０との位置は、ほぼ重なるものとする。また、コンテナ１００と化粧紙３００との接着時には、物品取付部材２００の切欠部２５１と化粧紙３００の切欠部３０６との位置は、ほぼ重なるものとする。
【００６３】
周壁補強コンテナ組み立て完成後、切欠部２５１、３０６により化粧紙３００の裏表紙側に穴部が形成される。その穴部に指などを挿入し、化粧紙３００を保持して手前側に力を加えると、ミシン目３０７に沿って化粧紙３００が切断される。ミシン目３０７に沿って化粧紙３００が切断されると、コンテナ１００に嵌合された物品取付部材２００の底面部２５０側が現れる。物品取付部材２００の底面部２５０に設けられている切欠部２５１に指などを挿入し、物品取付部材２００を保持して手前側に力を加えると、物品取付部材２００をコンテナ１００から容易に取り出すことができる。
【００６４】
また、周壁補強コンテナの裏表紙部３０３側の面に剥離可能なホットメルトの接着剤を塗布して、表紙がＰＰ加工された冊子を周壁補強コンテナに接着してもよい。その場合、付録等の物品４００と物品４００に関連する内容の冊子とを組み合わせた効果的な出版物を提供することが可能となる。さらに、物品４００を収納したコンテナ１００の凹部５０１開口面に直接冊子を接着し、冊子が接着されたコンテナ１００を化粧紙３００でくるむようにしてもよい。
【００６５】
以上、説明したように、本実施形態では、ダンボール紙を素材としたコンテナ１００を折り曲げて段部５０２、５０３および垂直支持壁５０８、５０９、水平支持壁５１０、５１１を形成する。従って、周壁補強コンテナの耐圧縮性を向上させ、周壁補強コンテナを所定個積み重ねた場合であっても、周壁補強コンテナおよび収納される物品４００の損傷および変形を防止することが可能となる。
【００６６】
なお、上記の実施形態は本発明の好適な実施の一例であり、本発明の実施形態は、これに限定されるものではなく、本発明の要旨を逸脱しない範囲において種々変形して実施することが可能となる。
【００６７】
【発明の効果】
以上説明したように、本発明によれば、底面部上に段部を形成し、形成した段部上において側面から所定間隔置いた位置から支持部まで設けられている切り込み部分を内側に押入して、上面部を底面部上に支持するための支持壁を形成する。従って、周壁補強コンテナの耐圧縮性を向上させることが可能となる。
【００６８】
また、本発明によれば、段部形成時に、上面部の両端に連設されている閉鎖片を起立させる。従って、起立した閉鎖片が上面部を底面部上に支持することにより、コーナーにおける周壁補強コンテナの耐圧縮性を向上させることが可能となる。
【００６９】
また、本発明によれば、底面部がくり抜かれ、窓部が設けられている。従って、周壁補強コンテナ内に収納された物品を容易に視認することが可能となる。
【００７０】
また、本発明によれば、周壁補強コンテナは、物品を係止および嵌合可能な物品取付部材を嵌合する。従って、物品が周壁補強コンテナの凹部の形状および大きさに適合しない場合であっても、物品を凹部内において固定することができ、容易に位置決めを行うことが可能となる。
【００７１】
また、本発明によれば、物品取付部材には、容易に保持可能とする穴部が設けられている。従って、その穴部に指などをかけて手前に引くことにより、物品取付部材を周壁補強コンテナ本体から容易に取り外すことが可能となる。
【００７２】
また、本発明によれば、周壁補強コンテナの凹部の開口面にはミシン目が設けられた化粧紙が貼付される。従って、凹部に収納された物品または物品を嵌合係止した物品取付部材がコンテナ本体から不意に脱離してしまうことを防止することが可能となる。また、ミシン目を切断することにより容易に収納された物品および物品取付部材を取り出すことが可能となる。
【図面の簡単な説明】
【図１】本発明の一実施形態におけるコンテナの組み立て完成図である。
【図２】本発明の一実施形態におけるコンテナの平面展開図である。
【図３】段部が形成されたコンテナを示す斜視図である。
【図４】本発明の一実施形態におけるコンテナの段部の部分を示す図である。
【図５】差し込み片をそれぞれ差し込み溝に差し込んだコンテナを示す斜視図である。
【図６】本発明の一実施形態における物品取付部材の平面展開図である。
【図７】本発明の一実施形態における組み立てが完成した物品取付部材の斜視図である。
【図８】本発明の一実施形態における組み立てが完成した物品取付部材の断面図である。
【図９】本発明の一実施形態における化粧紙の平面展開図である。
【図１０】本発明の一実施形態における周壁補強コンテナの組み立てを示す図である。
【図１１】一般に用いられるダンボール紙を示す図である。
【符号の説明】
１００　コンテナ
１０１、２５０　底面部
１０２、１０３、１０４、１０５、１２７、１２８、１４７、１４８、１５６、１５８、１６６、１６８、２１０、２１１、２３０、２３１　支持部
１１１、１１３、１１５、１１７、１１９、１２１、１２３、１２４、１２５、１２６、１３１、１３３、１３５、１３７、１３９、１４１、１４３、１４４、１４５、１４６、１５１、１５３、１５５、１５７、１６１、１６３、１６５、１６７、１７２、１７５、１７６、１８２、１８５、１８６、１９２、１９５、１９６、２０２、２０５、２０６、２２０、２２１、２２２、２２３、２２４、２２５、２４０、２４１、２４２、２４３、２４４、２４５、２４６、３０４、３０５　折目線
１１２、１３２、１５２、１６２、２１３、２３３　側面部
１１４、１３４、１５４、１６４、２１２、２３２　上面部
１１６、１１８、１３６、１３８　支持片
１２０、１２２、１４０、１４２　差し込み片
１５９、１６９　差し込み溝
１７０、３０８　窓部
１７１、１８１、１９１、２０１　閉鎖片
１７３、１７４、１８３、１８４、１９３、１９４、２０３、２０４、２５２、２５３、２５４、２５５、２５６、２５７　切り込み
２１４、２３４、２３５　係止片
２１５、２３６　開口部
２５１、３０６　切欠部
２６０　一点鎖線
３００　化粧紙
３０１　表紙部
３０２　背表紙部
３０３　裏表紙部
３０７　ミシン目
４００　物品
５０１、５０４、５０５、５０６、５０７　凹部
５０２、５０３　段部
５０８、５０９、５１０、５１１　支持壁
６０１、６０２　ライナ
６０３　中芯
６０４　線
【図１】
2004099048.tif 000003
【図２】
2004099048.tif 000004
【図３】
2004099048.tif 000005
【図４】
2004099048.tif 000006
【図５】
2004099048.tif 000007
【図６】
2004099048.tif 000008
【図７】
2004099048.tif 000009
【図８】
2004099048.tif 000010
【図９】
2004099048.tif 000011
【図１０】
2004099048.tif 000012
【図１１】
2004099048.tif 000013